(57)【要約】【課題】本発明の課題は、ファームウェアの更新を行なわなくてもディスクに応じた最適な書き込みが可能となる光ディスク装置を提供することである。【解決手段】上記課題は、光ディスクの種類を判別し、その判別した光ディスクに適したライトストラテジに従って書き込みを行なう光ディスク装置において、ホストコンピュータと所定のインタフェース手段を介して接続され、  前記ホストコンピュータにディスクベンダ毎の各ディスクに対して最も適したライトストラテジの情報が記憶され、該ホストコンピュータから出力されるライトストラテジの情報を、前記インタフェース手段を介して受信するライトストラテジ情報受信手段と、受信したライトストラテジ情報に従って前記光ディスクへのデータの書き込みを行なうデータ書き込み手段とを備えたことを特徴とする光ディスク装置にて解決される。【選択図】  図１
2004192707.tif 000002
【特許請求の範囲】
【請求項１】
光ディスクの種類を判別し、その判別した光ディスクに適したライトストラテジに従って書き込みを行なう光ディスク装置において、
ホストコンピュータと所定のインタフェース手段を介して接続され、
前記ホストコンピュータにディスクベンダ毎の各ディスクに対して最も適したライトストラテジの情報が記憶され、該ホストコンピュータから出力されるライトストラテジの情報を、前記インタフェース手段を介して受信するライトストラテジ情報受信手段と、
受信したライトストラテジ情報に従って前記光ディスクへのデータの書き込みを行なうデータ書き込み手段とを備えたことを特徴とする光ディスク装置。
【請求項２】
請求項１記載の光ディスク装置において、
前記インタフェース手段は前記ライトストラテジの情報を前記ホストコンピュータから転送させるためのコマンドを追加して拡張するコマンド拡張手段を備えたことを特徴とする光ディスク装置。
【請求項３】
請求項１又は２記載の光ディスク装置において、
前記ライトストラテジ情報は、前記光ディスクを再生したときに最適になるように構成されたライトパルスの情報であることを特徴とする光ディスク装置。
【請求項４】
請求項３記載の光ディスク装置において、
前記ライトパルスの情報は、前記ライトパルスの高さ情報、タイミング情報、最適記録パワー情報、該パワーを段階的に変化させるためのステップ情報からなることを特徴とする光ディスク装置。
【請求項５】
請求項１乃至４いずれか記載の光ディスク装置において、
前記ライトストラテジ情報のデータ長が前記コマンドの指定により固定長又は可変長となることを特徴とする光ディスク装置。
【請求項６】
請求項１又は２記載の光ディスク装置において、
前記インタフェース手段はＡＴＡＰＩ又はＳＣＳＩ又はＵＳＢ又はＩＥＥＥ１３９４で規定されている手段でインタフェースをする事が可能であること特徴とする光ディスク装置。
【請求項７】
光ディスクの種類を判別し、その判別した光ディスクに適したライトストラテジに従って書き込みを行なう光ディスク装置の光ディスク記録方法において、
ホストコンピュータと所定のインタフェース手段を介して接続され、
前記ホストコンピュータにディスクベンダ毎の各ディスクに対して最も適したライトストラテジの情報が記憶され、該ホストコンピュータから出力されるライトストラテジの情報を、前記インタフェース手段を介して受信し、
その受信したライトストラテジ情報に従って前記光ディスクへのデータの書き込みを行なうことを特徴とする光ディスク記録方法。
【請求項８】
請求項７記載の光ディスク記録方法において、
前記インタフェース手段は前記ライトストラテジの情報を前記ホストコンピュータから転送させるためのコマンドを追加して拡張することを特徴とする光ディスク記録方法。
【請求項９】
請求項７又は８記載の光ディスク記録方法において、
前記ライトストラテジ情報は、前記光ディスクを再生したときに最適になるように構成されたライトパルスの情報であることを特徴とする光ディスク記録方法。
【請求項１０】
請求項９記載の光ディスク記録方法において、
前記ライトパルスの情報は、前記ライトパルスの高さ情報、タイミング情報、最適記録パワー情報、該パワーを段階的に変化させるためのステップ情報からなることを特徴とする光ディスク記録方法。
【請求項１１】
請求項７乃至１０いずれか記載の光ディスク記録方法において、
前記ライトストラテジ情報のデータ長が前記コマンドの指定により固定長又は可変長となることを特徴光ディスク記録方法。
【請求項１２】
請求項７又は８記載の光ディスク記録方法において、
前記インタフェース手段はＡＴＡＰＩ又はＳＣＳＩ又はＵＳＢ又はＩＥＥＥ１３９４で規定されている手段でインタフェースをする事が可能であること特徴とする光ディスク記録方法。
【発明の詳細な説明】
【０００１】
【発明の属する技術分野】
本発明は、光ディスク装置及び光ディスク記録方法に係り、詳しくは、ライトストラテジに基づいてＣＤ−Ｒ、ＣＤ−ＲＷなどの書き込み可能なディスクに情報の書き込みを行なう光ディスク装置及び光ディスク記録方法に関する。
【０００２】
【従来の技術】
現在、データの書き込みが可能な光学式記録媒体として、ＣＤ（Ｃｏｍｐａｃｔ  Ｄｉｓｃ）−Ｒ／ＲＷ、ＤＶＤ（Ｄｉｇｉｔａｌ  Ｖｅｒｓａｔｉｌｅ  Ｄｉｓｃ）−Ｒ、ＤＶＤ−ＲＷ等書き換え可能なの記録ディスク（以下、ディスクと略記）が着目されている。これらディスクには、ピットとランドとの組み合わせでデータが記録されるが、例えば、ＣＤ−Ｒにデータを記録する場合は、所定のパルス幅のライトパルスによる駆動電流が光ピックアップの半導体レーザに印加され、そのレーザ光を所定の記録速度で回転するＣＤ−Ｒのディスクの記録面に照射することで行なわれる。なお、記録ピットの周方向の長さ（ピット長）は、規格より３〜１１Ｔ（１Ｔ＝１／４．８２１ＭＨｚ＝２３１ｎｓ（１倍速時）、２倍速時で１倍速時の１／２、４倍速時で１倍速の１／４、６倍速時で１倍速時の１／６、・・・）と定められている。通常、ＣＤ−Ｒにデータを書き込む場合、ライトストラテジ（記録ストラテジ）と呼ばれるレーザパルス制御が利用される。このライトストラテジには、ディスク再生時に最適になるようレーザパルスを制御するための情報が含まれ、記録特性に応じてライトパルス幅を増減させたり、タイミングを最適化したりする情報が含まれる。
【０００３】
ところで、ＣＤ−Ｒ等の書き込み可能なディスクは様々なディスクベンダ（製造会社、販売会社を言い、メーカの意味も持つ）から提供されている。それらのディスクはディスクベンダによってそれぞれ記録特性が異なるため、それぞれに適したライトストラテジでライト（書き込み、記録）を行なう必要がある。ドライブのベンダは、あらかじめ各種ディスクのライトテストを行なって、各ディスク毎に最適なストラテジを調べ、各ディスクのＩＤコード（このＩＤコードのことをＭＩＤ（Ｍａｎｕｆａｃｔｕｒｅ  ＩＤ）コードともいう）とそれに適したライトストラテジのデータを対応付けてファームウェア内に格納する。ドライブ内のファームウェアは、ディスクがローディングされた際にＭＩＤを読み込み、そのＭＩＤと対応付けられるライトストラテジのデータに基づきデータの書き込み、すなわち記録制御を行なっている。
【０００４】
また、新しいメディアの登場などにより、新たなライトストラテジデータが必要となったときには、前述したファームウェアをアップデートすることで対応可能となっている。
【０００５】
【特許文献】
特開２００２−２８８８２７号公報
【０００６】
【発明が解決しようとする課題】
上記のように従来のドライブはディスクのベンダ名・型名・特性がファームウェアに格納され、この格納された情報を基に該当ディスクに対する書き込みの際の最適なレーザパワーと速度等が決定される。すなわち、ディスクの性能の個体差をドライブ側が自動的に判断し、そのディスクに対して最適な条件でデータの書き込みが行なえるよう設計されている。
【０００７】
しかしながら、新しいディスクが販売された場合、ドライブのベンダはそのディスク用のライトストラテジが入った新しいファームウェアをリリースして、ユーザにファームウェアの更新作業を強いるため、ユーザにとって負担となっていた。特に、ここ数年のＣＤ−Ｒの成長ぶりはすさまじく、ディスクの種類もメーカ数も増えつづけているため、ユーザにおけるファームウェアの更新作業の頻度は増大傾向にあり、ユーザ側での作業負担の軽減が望まれていた。
【０００８】
本発明は、上記のような問題点に鑑みてなされたもので、その課題とするところは、ファームウェアの更新を行なわなくてもディスクに応じた最適な書き込みが可能となる光ディスク装置及び光ディスク記録方法を提供することである。
【０００９】
【課題を解決するための手段】
上記課題を解決するため、本発明は、請求項１に記載されるように、光ディスクの種類を判別し、その判別した光ディスクに適したライトストラテジに従って書き込みを行なう光ディスク装置において、ホストコンピュータと所定のインタフェース手段を介して接続され、前記ホストコンピュータにディスクベンダ毎の各ディスクに対して最も適したライトストラテジの情報が記憶され、該ホストコンピュータから出力されるライトストラテジの情報を、前記インタフェース手段を介して受信するライトストラテジ情報受信手段と、受信したライトストラテジ情報に従って前記光ディスクへのデータの書き込みを行なうデータ書き込み手段とを備えたことを特徴としている。
【００１０】
また、本発明の請求項２は、前記光ディスク装置において、前記インタフェース手段は前記ライトストラテジの情報を前記ホストコンピュータから転送させるためのコマンドを追加して拡張するコマンド拡張手段を備えたことを特徴としている。
【００１１】
また、本発明の請求項３は、前記光ディスク装置において、前記ライトストラテジ情報は、前記光ディスクを再生したときに最適になるように構成されたライトパルスの情報であることを特徴としている。
【００１２】
また、本発明の請求項４は、前記光ディスク装置において、前記ライトパルスの情報は、前記ライトパルスの高さ情報、タイミング情報、最適記録パワー情報、該パワーを段階的に変化させるためのステップ情報からなることを特徴としている。
【００１３】
また、本発明の請求項５は、前記光ディスク装置において、前記ライトストラテジ情報のデータ長が前記コマンドの指定により固定長又は可変長となることを特徴としている。
【００１４】
さらに、本発明の請求項６は、前記光ディスク装置において、前記インタフェース手段はＡＴＡＰＩ又はＳＣＳＩ又はＵＳＢ又はＩＥＥＥ１３９４で規定されている手段でインタフェースをする事が可能であること特徴としている。
【００１５】
上記本発明の構成によれば、ライトストラテジ設定のためのコマンドをＡＴＡＰＩやＳＣＳＩ等のインタフェースのコマンド規格に拡張することにより、ライトストラテジデータをホストコンピュータからドライブに転送することが可能となる。すなわち、新しいディスクがリリースされても、そのディスクをローディングするだけで最適なライトストラテジデータがホストコンピュータからドライブへと転送されてくるので、ユーザはディスク毎にファームウェアをダウンロードして更新するといった煩わしい作業から開放される。
【００１６】
また、ファームウェアへのライトストラテジデータの更新も不必要となることから、フラッシュメモリをマスクＲＯＭに置き換えることが可能となり、ドライブの装置コストを抑えることができる。
【００１７】
【発明の実施の形態】
以下、本発明の実施の形態を図面に基づいて説明する。
【００１８】
図１は本発明の実施の一形態に係る光ディスク装置の構成図である。図１において、この光ディスク装置（以下、ドライブと略記）は、ＣＤ−Ｒ又はＣＤ−ＲＷ等の書き換え可能型の光ディスク装置で、光ディスク（以下、ディスクと略記）１、光ピックアップ２、スピンドルモータ３、スピンドルモータ（ＳＰＭ）ドライバ４、レーザドライバ５、ライトストラテジ回路（最適記録回路）６、エンコーダ７、インタフェース回路（Ｉ／Ｆ）８、ＡＰＣ（Ａｕｔｏ  Ｐｏｗｅｒ  Ｃｏｎｔｒｏｌ）９、サーボプロセッサ１０、システムコントローラ（＝ＣＰＵ）１１から構成される。本発明に係るドライブのインタフェース回路８には外部の接続先としてホストコンピュータ２１が接続され、ホストコンピュータ２１にはライトストラテジデータを蓄積・管理するライトストラテジデータ管理部（ＥＥＰＲＯＭ）２２が所定のバスを介して接続される。
【００１９】
上記インタフェース回路８は、例えば、図２に示すように構成される。
【００２０】
上記の如くこのインタフェース回路８は、ホストコンピュータ２１と接続されており、インタフェース回路８とホストコンピュータ２１とは所定のインタフェース手段を利用して相互にデータを入出力する。所定のインタフェース手段としては、例えば、▲１▼ＡＴＡＰＩインタフェース部３１、▲２▼ＳＣＳＩインタフェース部３２、▲３▼ＵＳＢインタフェース部３３、▲４▼ＩＥＥＥ１３９４（ＦｉｒｅＷｉｒｅ／ｉ．ＬＩＮＫ）インタフェース部３４等があり、ドライブメーカの製造仕様に応じて、任意のインタフェース機能が実装される。同図では、一例として、ＡＴＡＰＩインタフェース機能が実装されている様子を示している（実線表示）。なお、これ以降はインタフェース回路８にＡＴＡＰＩインタフェース部が備えられているものと仮定して説明を進める。
【００２１】
上記▲１▼〜▲４▼のインタフェース部は、ホストコンピュータ２１から発行されたコマンドを受信し、該当のインタフェースバス４１〜４４を介してＣＰＵ１１に受け渡す役割を担っている。本実施形態では、上記インタフェース部のコマンド規格に、ライトストラテジ設定のためのコマンドが拡張追加され、この拡張コマンドの発行により、該当のライトストラテジデータがドライブ側に転送される。本例では、この拡張コマンドをライトストラテジ設定のための拡張コマンドとし、“ＷＳコマンド”と呼ぶ。なお、このＷＳコマンドのデータフォーマットは、各ドライブメーカ独自の形で提供してもかまわない。
【００２２】
次に、上記のように構成されたドライブの動作について図１を用いて説明する。
【００２３】
図１において、ディスク１は、ターンテーブルに積載され、記録／再生動作時においてスピンドルモータ３によって一定線速度（ＣＬＶ）もしくは一定角速度（ＣＡＶ）で回転駆動される。そして光ピックアップ２によってディスク１上のピットデータ（相変化ピット、或いは有機色素変化（反射率変化）によるピット）の読み出しが行なわれる。サーボプロセッサ１０は、ＲＦアンプ（図示省略）からのフォーカスエラー信号ＦＥ、トラッキングエラー信号ＴＥ等から、フォーカス、トラッキング、スレッド、スピンドルの各種サーボドライブ信号を生成しサーボ動作を実行させる。サーボプロセッサ１０はさらに、スピンドルモータドライバ４に対してスピンドルエラー信号に応じて生成されるスピンドルドライブ信号を供給する。スピンドルモータドライバ４はスピンドルドライブ信号に応じて例えば３相駆動信号をスピンドルモータに印加してスピンドルモータのＣＬＶ回転又はＣＡＶ回転を実行させる。ＡＰＣ９は、モニタ用ディテクタ（光ピックアップ内のレーザダイオードからの出力光の一部が受光されるモニタ用ディテクタを言う。図示省略）の出力によりレーザ出力パワーをモニタしながらレーザの出力が温度などによらず一定になるように制御する回路部である。エンコーダ７は、データ記録時のエンコーダとしての機能部位を備え、所定のＥＦＭ信号生成する。ＥＦＭ信号は「３Ｔ」から「１１Ｔ」までの物理的な長さとスペースから成り立つ信号で、例えば、図３（ａ）に示すように表される。図３（ａ）は、ＥＦＭ信号の一例を示したもので、３Ｔの長さのパルスで構成されたＥＦＭ信号（３Ｔ−ＥＦＭ信号）を示したものである。また、上記ＥＦＭ信号は、ＯＰＣ（Ｏｐｔｉｍｕｍ  Ｐｏｗｅｒ  Ｃｏｎｔｒｏｌ：最適レーザ出力制御）において、テストエリアへの試し書きの際のレーザ出力調整（パワーコントロール）に用いられる。ＣＰＵ１１はホストコンピュータ２１から発行されたＷＳコマンドを、インタフェース回路８を介して受信すると、ライトストラテジ設定のための処理を実行する（詳細は後述する）。ライトストラテジ回路６はエンコーダ７から出力されるＥＦＭ信号をホストコンピュータ２１から出力されるライトストラテジデータを考慮して図３（ｂ）に示すような波形を有する記録パルス信号に変換する。この記録パルス信号は記録信号波形（＝書き込み波形）と呼ばれ、ＥＦＭ信号の立ち上がりから時間Ｔ１の遅れを持って立ち上がり、Ｔ２の期間にわたり、記録パワーＰＷよりＰ１だけ高い記録パワーを維持し、その後、ＥＦＭ変調信号の立ち下がりまで記録パワーＰＷのレベルが保たれるように構成されている。ライトストラテジはこの記録パルス信号を基にレーザドライブパルス（書き込みデータ＝ＷＤＡＴＡ）を生成しレーザドライバ５に送る。なお、上記ライトストラテジデータはあらかじめ本発明のドライブの設計段階にて、様々なディスクに対して検討されており、ライトストラテジデータ管理部（ＥＥＰＲＯＭ）に格納されている。
【００２４】
次に、ＣＰＵ１１でなされるライトストラテジ設定のための処理について、図４のフローチャートを参照しながら説明する。
【００２５】
図４において、ＣＰＵ１１は、ディスク１のローディングを確認すると、ホストコンピュータ２１から送られてくるＡＴＡＰＩコマンドの到来を待ち、到来したＡＴＡＰＩコマンドの解読・判定（Ｓ１）を行なう。このコマンドの解読・判定（Ｓ１）でホストコンピュータ２１から発行されたコマンドが上記の如く拡張追加されたＷＳコマンドであれば（Ｓ１でＹＥＳ）、ローディングされたディスクからＭＩＤ（製造者コード）とディスク識別情報（ディスクの型名）等を読み込み（Ｓ２）、インタフェース回路８を介してホストコンピュータ２１に送る。一方、上記ＡＴＡＰＩコマンド解読・判定（Ｓ１）で、ホストコンピュータ２１から送られてきたコマンドがＷＳコマンドでないと判定した（Ｓ１でＮＯ）場合は、その送られてきたコマンドの指令に基づく処理（Ｓ３）がなされる。
【００２６】
ホストコンピュータ２１はＣＰＵ１１から送られてきたＭＩＤを受け取ると、ライトストラテジデータ管理部２２に格納されているベンダ毎ディスク一覧テーブル（図５参照）のＭＩＤコード欄を参照し、上記ＭＩＤと一致するＭＩＤがあるかどうかをサーチする。このベンダ毎ディスク一覧テーブルには、ライトストラテジデータが格納されている各ベンダ毎のディスクの一覧が記されており、例えば、ＭＩＤ「ＡＡ」、ディスク識別情報として「９９ＡＢ２２２」をホストコンピュータ２１がＣＰＵ１１より受信した場合、同テーブルのＭＩＤ欄とディスク型名欄を参照し、該当するＭＩＤ「ＡＡ」の「９９ＡＢ２２２」が同テーブル上に存在することから、その旨を存在通知としてＣＰＵ１１に伝える。
【００２７】
ＣＰＵ１１は上記存在通知を受信した場合（Ｓ４でＹＥＳ）、ＭＩＤ「ＡＡ」の「９９ＡＢ２２２」に対応するライトストラテジデータの転送要求をホストコンピュータ２１に対して行なう（Ｓ５）。ホストコンピュータ２１はＭＩＤ「ＡＡ」の「９９ＡＢ２２２」に対応するライトストラテジデータをライトストラテジデータ管理部２２から読み出してインタフェース回路８経由でＣＰＵ１１に転送する。ライトストラテジデータ管理部２２には、前述したベンダ毎ディスク一覧テーブルとは別にライトストラテジデータリストが蓄積されており、例えば、図６に示すように蓄積される。図６は、ＭＩＤ「ＡＡ」で製造されているディスク毎のライトストラテジデータをリスト化したものである。ライトストラテジデータには、ディスク各々に対して最適な記録信号を生成することができる情報としてＴ１、Ｔ２、Ｐ１、ＯＰＣ  Ｐｏｗｅｒ情報が同リストに登録される。ＯＰＣ  Ｐｏｗｅｒ情報はＯＰＣのＰｏｗｅｒの振り幅やＰｏｗｅｒのステップ数等の情報であり、書き込みに必要なレーザ出力を設定するための情報である。
【００２８】
ＣＰＵ１１は上記のようにしてホストコンピュータ２１から送られてくるライトストラテジデータを受信し、エンコーダ７を介してライトストラテジ６に出力（Ｓ６）する。なお、ホストコンピュータ２１から出力されるライトストラテジデータはＷＳコマンドにより固定長又は可変長のいずれかが指定される。
【００２９】
以後の説明は、上記ライトストラテジデータに基づくデータの記録処理についてである。
【００３０】
ＣＰＵ１１はＭＩＤ＝ＡＡ、ディスク型名＝９９ＡＢ２２２に対応するライトストラテジデータをライトストラテジ６に出力した後、ＷＳコマンドに続いてホストコンピュータ２１から発行される書き込みコマンド（＝ライトコマンド）の到着を待ち、ライトコマンドを受信した時点で、ホストコンピュータ２１から転送されてくる記録用のデータのＥＦＭ記録信号を生成させるための制御情報をエンコーダ７に出力する。エンコーダ７で上記記録用データの符号化がなされ出力されたＥＦＭ信号は、ライトストラテジ６に入力される。ライトストラテジ６は上述したライトストラテジデータに基づいて波形調整処理を行ない、最適化記録信号を生成して出力する。この最適化記録信号は、ライトストラテジデータに基づくライトパルス情報（ＷＤＡＴＡ）であり、ＯＰＣのＰｏｗｅｒ情報を考慮してレーザ出力を最適化させる記録パワーに係る情報、レーザドライブパルスに係る記録パルス幅に係る情報を表す。
【００３１】
上記のようにしてライトストラテジ６から出力されたＷＤＡＴＡはレーザドライバ５に入力され、光ピックアップ２に内蔵されたレーザダイオード（図示せず）を駆動してレーザビームをディスク１に照射させる。ディスク１に照射されたレーザビームはスピンドルモータ３によって所定の回転数に回転されたディスク１のトラック上にデータ信号を記録する。
【００３２】
図４に戻り、ＣＰＵ１１は上記（Ｓ４）判定でベンダ毎ディスク一覧テーブルにＭＩＤ「ＡＡ」、ディスク型名＝「９９ＡＢ２２２」が存在しないとの通知をホストコンピュータ２１から受けた場合（Ｓ４でＮＯ）、ＣＰＵ１１は汎用のライトストラテジデータの転送要求を行ない（Ｓ７）、この転送要求に対する応答としてホストコンピュータ２１から出力される汎用のライトストラテジデータをライトストラテジ６に出力（Ｓ６）する。以後の処理は、上記同様になされる。
【００３３】
上記例は、ホストコンピュータ２１がライトストラテジデータ管理部２２に格納されているベンダ毎ディスク一覧テーブルを参照し、該当のＭＩＤとディスクが見つかったときには、さらにライトストラテジデータリストから必要なライトストラテジデータを読み出すという形態であったが、この例のように、ベンダ毎ディスク一覧テーブルとライトストラテジデータリストを階層化しなくても一元的にライトストラテジデータの記録管理を行なうような形態であってもよい。
【００３４】
上述したように、本実施形態によれば、ライトストラテジ設定のためのコマンドをＡＴＡＰＩやＳＣＳＩ等のインタフェースのコマンド規格に拡張することにより、ライトストラテジデータをホストコンピュータ２１からドライブに転送することが可能となる。すなわち、新しいディスクがリリースされても、そのディスクをローディングするだけで最適なライトストラテジデータがホストコンピュータ２１からドライブへと転送されてくるので、ユーザはディスク毎にファームウェアをダウンロードして更新するといった煩わしい作業から開放される。
【００３５】
また、ファームウェアへのライトストラテジデータの更新も不必要となることから、フラッシュメモリをマスクＲＯＭに置き換えることが可能となり、ドライブの装置コストを抑えることができる。
【００３６】
上記実施形態では、ホストコンピュータ側からドライブに対してライトストラテジデータを転送する形態であったが、本発明はこのような実施形態に限定されない。例えば、ディスクに各ドライブメーカから提供された各社用ライトストラテジデータを書き込んでおき、その情報をドライブに設定して書き込むような形態であってもよいし、反対にメディアメーカがメディアに対して各ドライブメーカ用のライトストラテジデータを用意し、配布することも可能である。
【００３７】
また、あらかじめ任意のサーバ等に各ディスクのライトストラテジデータを蓄積しておき、ディスクにそのサーバにインターネット経由でアクセスするためのＵＲＬを書き込む。もし、書き込みソフトやＤＬＬが不明なディスクを検出した場合は上記ＵＲＬにアクセスして該当のライトストラテジデータをダウンロードして入手することもできる。この場合、インターネットを利用した自動アップデートが可能となる。
【００３８】
また、ホストコンピュータがＷｉｎｄｏｗｓ（登録商標）（ＯＳ）を搭載したパソコンであれば、Ｗｉｎｄｏｗｓ（登録商標）上で該当となるディスク等のハードウェアは一般にＷＨＱＬ（Ｗｉｎｄｏｗｓ（登録商標）  Ｈａｒｄｗａｒｅ  Ｑｕａｌｉｔｙ  Ｌａｂｓ）による認証を受けているので、ＷＨＱＬ規格に対してのライトストラテジの変更だけで済み、ＷＨＱＬへのロゴ申請をする必要がない。
【００３９】
ところで、ＣＤ−Ｒ／ＣＤ−ＲＷディスクへの書き込みには通常、書き込みアプリケーションが使用され、各ドライブメーカから前述した書き込みアプリケーション、またはそれと連動するデータファイル、又はデバイスドライバー、又はＤＬＬとして各社各ドライブに対応したデータがユーザに提供される。
【００４０】
ディスクへの書き込みが開始される際には、書き込みアプリケーションが起動し、ローディングされたディスクの識別情報（ＭＩＤ、製品の型名等）が読み取られる。このとき、ライトストラテジデータがＤＬＬの形式でユーザに提供されていた場合、ホストコンピュータ側のＣＰＵはそのＤＬＬに対してディスク識別情報の提供とライトストラテジ設定の命令をするだけでライトストラテジデータをドライブに転送して最適なストラテジをディスク側に設定させることができる。
【００４１】
上記例において、ドライブのインタフェース回路８のインタフェース機能がインタフェース手段に、ＣＰＵ１１のライトストラテジデータ受信機能がライトストラテジ情報受信手段に、ライトストラテジ６のデータ書き込み機能がデータ書き込み手段に対応する。また、上記インタフェース回路８のコマンド拡張機能がコマンド拡張手段に対応する。
【００４２】
【発明の効果】
以上、説明したように、本願発明によれば、本実施形態によれば、ライトストラテジ設定のためのコマンドをＡＴＡＰＩやＳＣＳＩ等のインタフェースのコマンド規格に拡張することにより、ライトストラテジデータをホストコンピュータからドライブに転送することが可能となる。すなわち、新しいディスクがリリースされても、そのディスクをローディングするだけで最適なライトストラテジデータがホストコンピュータからドライブへと転送されてくるので、ユーザはディスク毎にファームウェアをダウンロードして更新するといった煩わしい作業から開放される。
【００４３】
また、ファームウェアへのライトストラテジデータの更新も不必要となることから、フラッシュメモリをマスクＲＯＭに置き換えることが可能となり、ドライブの装置コストを抑えることができる。
【図面の簡単な説明】
【図１】本発明の一実施形態に係る光ディスク装置の構成を示すブロック図である。
【図２】図１に示すインタフェース回路とホストコンピュータとの接続関係を説明するための図である。
【図３】エンコーダから出力されるＥＦＭ信号とライトパルス  の対応関係を説明するための図である。
【図４】ＣＰＵでのライトストラテジ設定処理手順を示すフローチャート図である。
【図５】ライトストラテジ管理部で保管されているベンダ毎ディスク一覧テーブルの一例を示す図である。
【図６】製造者コードＡＡ（ＭＩＤ＝ＡＡ）にて製造されているディスク毎のライトストラテジデータのリスト例を示す図である。
【符号の説明】
１  光ディスク（ディスク）
２  光ピックアップ
３  スピンドルモータ
４  スピンドルモータドライバ（ＳＰＭドライバ）
５  レーザドライバ
６  ライトストラテジ回路
７  エンコーダ
８  インタフェース（Ｉ／Ｆ）回路
９  ＡＰＣ
１０  サーボプロセッサ
１１  システムコントローラ（ＣＰＵ）
２１  ホストコンピュータ
２２  ライトストラテジデータ管理部
３１  ＡＴＡＰＩインタフェース部
３２  ＳＣＳＩインタフェース部
３３  ＵＳＢインタフェース部
３４  ＩＥＥＥインタフェース部
４１  ＡＴＡＰＩインタフェース用バス
４２  ＳＣＳＩインタフェース用バス
４３  ＵＳＢインタフェース用バス
４４  ＩＥＥＥインタフェース用バス
【図１】
2004192707.tif 000003
【図２】
2004192707.tif 000004
【図３】
2004192707.tif 000005
【図４】
2004192707.tif 000006
【図５】
2004192707.tif 000007
【図６】
2004192707.tif 000008